(57)【要約】【課題】発光効率が高く、高輝度、低消費電力のプラズマディスプレイパネルの駆動方法を実現することを目的とする。【解決手段】走査電極２６と、走査電極２６を挟んで隣接して設けた第一維持電極２５および第二維持電極２７とにより構成した表示電極２８を複数形成した表面板２２を有するプラズマディスプレイパネルの駆動方法であって、第一維持電極２５と走査電極２６との間に与えた電位差により第１の維持放電を発生させた後、第一維持電極２５と走査電極２６との間の電位差より小さい電位差が与えられている第二維持電極２７と走査電極２６との間に第２の維持放電を発生させるように制御するものである。【選択図】図１
2005121953.tif 000002
【特許請求の範囲】
【請求項１】
走査電極と、走査電極を挟んで隣接して設けた第一維持電極および第二維持電極とにより構成した表示電極を複数形成した表面板を有するプラズマディスプレイパネルの駆動方法であって、第一維持電極と走査電極との間に与えた電位差により第１の維持放電を発生させた後、第一維持電極と走査電極との間の電位差より小さい電位差が与えられている第二維持電極と走査電極との間に第２の維持放電を発生させるように制御するプラズマディスプレイパネルの駆動方法。
【請求項２】
走査電極と、走査電極を挟んで隣接して設けた第一維持電極および第二維持電極とにより構成した表示電極を複数形成した表面板を有するプラズマディスプレイパネルの駆動方法であって、維持パルス電圧を走査電極と維持電極とに交互に印加し、且つ、維持電極である第一維持電極と第二維持電極に対する維持パルス電圧は、位相が同じで高電位側の電圧値が異なるものとなるように制御するプラズマディスプレイパネルの駆動方法。
【請求項３】
表示電極は、隣り合う放電セル間で、第一維持電極どうし、または第二維持電極どうしが隣接するように配置していることを特徴とする請求項１または２に記載のプラズマディスプレイパネルの駆動方法。
【請求項４】
維持パルス電圧は、高電位側の電圧値が正で、低電位側の電圧値が負である請求項２に記載のプラズマディスプレイパネルの駆動方法。
【請求項５】
維持パルス電圧は、維持電極である第一維持電極への印加と第二維持電極への印加を、所定の周期で入れ替えることを特徴とする請求項２または４に記載のプラズマディスプレイパネルの駆動方法。
【請求項６】
前記所定の周期が、維持パルス電圧の周期である請求項５に記載のプラズマディスプレイパネルの駆動方法。
【発明の詳細な説明】
【技術分野】
【０００１】
本発明はプラズマディスプレイパネルの駆動方法に関するものである。
【背景技術】
【０００２】
プラズマディスプレイパネル（ＰＤＰ）は、ガス放電によって発生した紫外線によって蛍光体を励起発光させて画像表示を行っている。ＰＤＰは、図１２にその概略構成を一部分の断面斜視図として示すように、間に放電空間１を形成するように表面板２と背面板３とを対向配置して構成している。
【０００３】
表面板２上には、走査電極４および維持電極５が複数形成されている。走査電極４および維持電極５はそれぞれ透明電極６の上に金属からなるバス電極７を形成して構成している。また、走査電極４および維持電極５を覆うように表面板２上には第一誘電体層８が形成され、さらに第一誘電体層８上に保護層９が形成されている。
【０００４】
背面板３上には、表示情報を書き込むためのデータ電極１０が複数形成され、データ電極１０を覆うように背面板３上には第二誘電体層１１が形成されている。そして第二誘電体層１１上の、データ電極１０の間に位置するようにデータ電極１０と平行に隔壁１２が形成され、第二誘電体層１１の表面および隔壁１２の側面には蛍光体層１３が形成されている。データ電極１０および隔壁１２は、走査電極４および維持電極５と直交するよう配置されており、走査電極４および維持電極５とデータ電極１０との交差部に発光単位となる放電セルが形成される。
【０００５】
そして、放電空間１には、放電ガスとしてネオン（Ｎｅ）とキセノン（Ｘｅ）の混合ガスが５００Ｔｏｒｒ程度の圧力で充填されている。隔壁１２は、隣接する放電セル間を仕切り、ガス放電に関わる荷電粒子等のクロストークによる誤放電や光学的クロストークによる混色を防ぐ機能も有する。
【０００６】
図１３は、従来のＰＤＰにおいて、走査電極４および維持電極５の配列の一例を示す概略平面図であり、走査電極４、維持電極５、データ電極１０および隔壁１２の位置関係がわかるように示している。一点鎖線で囲んだ領域は１つの放電セル１４を表している。この図からわかるように、従来のＰＤＰでは、放電ギャップ１５をあけて配置された走査電極４および維持電極５からなる表示電極が各行に形成され、行間において隣り合う走査電極４と維持電極５とがセル間ギャップ１６をあけて配置されている。
【０００７】
そして、上述のＰＤＰは、それを駆動する駆動部と接続することによりプラズマディスプレイ装置が構成される。
【０００８】
次に、ＰＤＰの表示動作について、駆動電圧波形を示す図１４を用いて説明する。テレビ映像を表示する場合、ＮＴＳＣ方式において映像は１秒間に６０個のフレームで構成されている。このパネルで画像表示を行う場合、一定の強さをもつ発光パルスの数を例えば１、２、４、８、１６、３２、６４、１２８のようにバイナリで重み付けした８個のサブフィールドによって１フレームを構成する。８個のサブフィールドはそれぞれの重み付けに応じた輝度の表示を行うものであり、これら８個のサブフィールドの中から表示に用いるサブフィールドを１個または複数個選択して所定輝度の表示を行うことにより階調表示を行っている。各サブフィールドは初期化期間、アドレス期間および表示期間からなる。
【０００９】
初期化期間では、まず維持電極５に全面同時消灯パルスを印加することにより前のサブフィールドでの維持放電を終了させる。続いて走査電極４に全面同時点灯パルスを印加することによりすべての放電セル１４について初期化放電を行い、次に維持電極５に全面同時消灯パルスを印加して初期化放電を終了させる。これにより、すべての放電セル１４において前のサブフィールドの表示期間における点灯状態の影響を受けないようにする。
【００１０】
初期化期間の後のアドレス期間では、１行目の走査電極４に書き込み走査パルスを印加すると同時に所望のデータ電極１０に書き込み信号パルスを印加することにより、１行目の放電セル１４のうち点灯させたい放電セル１４でアドレス放電を起こし、保護層９の表面および蛍光体層１３の表面に壁電荷を蓄積させる。２行目以降のすべての行についても順次同様にして点灯させたい放電セル１４でアドレス放電を起こす。このようにして表示情報の書き込みを行う。
【００１１】
アドレス期間の後の表示期間では、走査電極４と維持電極５との間に数十ｋＨｚ〜数百ｋＨｚの放電維持パルスを印加することにより、アドレス期間においてアドレス放電を起こした放電セル１４内でのみ維持放電を発生させる。維持放電で発生する紫外線によって蛍光体層１３を励起し、可視光を発生させて表示動作を行う（例えば、非特許文献１参照）。
【非特許文献１】内池平樹、御子柴茂生共著、「プラズマディスプレイのすべて」（株）工業調査会、１９９７年５月１日、ｐ７９−ｐ８０、ｐ１２６−ｐ１２７
【発明の開示】
【発明が解決しようとする課題】
【００１２】
ＰＤＰに対しては高精細化への要求が高まっており、これに対応するためには放電セル１４の配列ピッチを狭くする必要があるが、そのような狭ピッチで配列された場合、放電セル１４内の荷電粒子が放電セル１４の内壁面へ拡散してしまうため、発光効率が低下するなどの問題が発生する場合がある。
【００１３】
本発明はこのような課題を解決するためになされたものであり、発光効率が高く、高輝度、低消費電力のプラズマディスプレイパネルの駆動方法を実現することを目的とする。
【課題を解決するための手段】
【００１４】
上記目的を達成するために本発明のプラズマディスプレイパネルの駆動方法は、走査電極と、走査電極を挟んで隣接して設けた第一維持電極および第二維持電極とにより構成した表示電極を複数形成した表面板を有するプラズマディスプレイパネルの駆動方法であって、第一維持電極と走査電極との間に与えた電位差により第１の維持放電を発生させた後、第一維持電極と走査電極との間の電位差より小さい電位差が与えられている第二維持電極と走査電極との間に第２の維持放電を発生させるように制御するものである。
【００１５】
また、上記目的を達成するために本発明のプラズマディスプレイパネルの駆動方法は、走査電極と、走査電極を挟んで隣接して設けた第一維持電極および第二維持電極とにより構成した表示電極を複数形成した表面板を有するプラズマディスプレイパネルの駆動方法であって、維持パルス電圧を走査電極と維持電極とに交互に印加し、且つ、維持電極である第一維持電極と第二維持電極に対する維持パルス電圧は、位相が同じで高電位側の電圧値が異なるものとなるように制御するものである。
【発明の効果】
【００１６】
本発明のプラズマディスプレイパネルの駆動方法は、高精細であっても発光効率を改善することにより、高輝度、低消費電力の、そして低消費電力という意味では環境負荷を少なくすることができる。
【発明を実施するための最良の形態】
【００１７】
すなわち、本発明の請求項１に記載の発明は、走査電極と、走査電極を挟んで隣接して設けた第一維持電極および第二維持電極とにより構成した表示電極を複数形成した表面板を有するプラズマディスプレイパネルの駆動方法であって、第一維持電極と走査電極との間に与えた電位差により第１の維持放電を発生させた後、第一維持電極と走査電極との間の電位差より小さい電位差が与えられている第二維持電極と走査電極との間に第２の維持放電を発生させるように制御するプラズマディスプレイパネルの駆動方法である。
【００１８】
また、請求項２に記載の発明は、走査電極と、走査電極を挟んで隣接して設けた第一維持電極および第二維持電極とにより構成した表示電極を複数形成した表面板を有するプラズマディスプレイパネルの駆動方法であって、維持パルス電圧を走査電極と維持電極とに交互に印加し、且つ、維持電極である第一維持電極と第二維持電極に対する維持パルス電圧は、位相が同じで高電位側の電圧値が異なるものとなるように制御するプラズマディスプレイパネルの駆動方法である。
【００１９】
また、請求項３に記載の発明は、請求項１または２に記載の発明において、表示電極は、隣り合う放電セル間で、第一維持電極どうし、または第二維持電極どうしが隣接するように配置していることを特徴とするものである。
【００２０】
また、請求項４に記載の発明は、請求項２に記載の発明において、維持パルス電圧は、高電位側の電圧値が正で、低電位側の電圧値が負であるというものである。
【００２１】
また、請求項５に記載の発明は、請求項２または４に記載の発明において、維持パルス電圧は、維持電極である第一維持電極への印加と第二維持電極への印加を、所定の周期で入れ替えることを特徴とするものである。
【００２２】
また、請求項６に記載の発明は、請求項５に記載の発明において、前記所定の周期が、維持パルス電圧の周期であるというものである。
【００２３】
以下、本発明の一実施の形態について図面を参照して説明する。
【００２４】
図１は本発明の一実施の形態によるＰＤＰの要部の概略構成を示す断面斜視図であり、図２は図１におけるＡ−Ａ矢視断面図である。
【００２５】
図１、図２に示すように、本発明の一実施の形態によるＰＤＰは、間に放電空間２１を形成するように２つの基板である表面板２２と背面板２３とを対向配置し、表面板２２と背面板２３の周縁部を封着ガラスで気密封止して構成している。放電空間２１にはＮｅとＸｅの混合ガスからなる放電ガスを所定の圧力および混合比で充填している。
【００２６】
表面板２２は、ガラスからなる基板２４上に、第一維持電極２５、走査電極２６および第二維持電極２７を順に配置することにより構成した表示電極２８を複数形成している。第一維持電極２５、走査電極２６および第二維持電極２７はそれぞれ、透明電極２５ａ、２６ａ、２７ａと、その上に形成したバス電極２５ｂ、２６ｂ、２７ｂとにより構成されている。透明電極２５ａ、２６ａ、２７ａはインジウムスズ酸化物（ＩＴＯ）または酸化スズ（ＳｎＯ2）等からなり、バス電極２５ｂ、２６ｂ、２７ｂは銀（Ａｇ）厚膜（厚み２μｍ〜１０μｍ）、アルミニウム（Ａｌ）薄膜（厚み０．１μｍ〜１μｍ）またはクロム／銅／クロム（Ｃｒ／Ｃｕ／Ｃｒ）積層薄膜（厚み０．１μｍ〜１μｍ）等からなる。
【００２７】
また、酸化鉛（ＰｂＯ）、酸化ビスマス（Ｂｉ2Ｏ3）または酸化燐（ＰＯ4）を主成分とする低融点ガラスからなる第一誘電体層２９（厚み４０μｍ）を、第一維持電極２５、走査電極２６および第二維持電極２７を覆うように形成している。また、放電空間２１で発生する放電プラズマによる損傷から第一誘電体層２９を保護するように、第一誘電体層２９上に酸化マグネシウム（ＭｇＯ）からなる保護層３０（厚み５００ｎｍ）を形成している。
【００２８】
一方、背面板２３は、ガラスからなる基板３１上に、第一維持電極２５、走査電極２６および第二維持電極２７からなる表示電極２８と直交する方向に複数のデータ電極３２を形成している。データ電極３２は、たとえば銀厚膜（厚み２μｍ〜１０μｍ）、アルミニウム薄膜（厚み０．１μｍ〜１μｍ）またはクロム／銅／クロム積層薄膜（厚み０．１μｍ〜１μｍ）からなる。そして、基板３１上にデータ電極３２を覆うように、第一誘電体層２９の構成材料と同様の低融点ガラスからなる第二誘電体層３３（厚み５μｍ〜２０μｍ）を形成している。また、第二誘電体層３３上のデータ電極３２の間の位置にデータ電極３２と平行に、隔壁３４が形成されている。さらに、カラー表示のための３色（赤、緑、青）の蛍光体層３５を第二誘電体層３３上および隔壁３４の側面に設けている。なお、第二誘電体層３３は、蛍光体層３５の密着性を改善するためのものであり、第二誘電体層３３がなくともＰＤＰとしての機能は得られる。
【００２９】
そして、放電空間２１は、隔壁３４により複数の区画に仕切られており、そして、この仕切られた放電空間２１において、表示電極２８とアドレス電極３２とが直交して配置されることで、単位発光領域となる複数の放電セル３６が形成される。そしてこのＰＤＰでは、アドレス電極３２、表示電極２８に印加する周期的な電圧によって放電を発生させ、この放電による紫外線を蛍光体層３５に照射して可視光に変換させることにより、画像表示を行う。
【００３０】
図３は、本発明の一実施の形態によるＰＤＰにおいて、第一維持電極２５、走査電極２６および第二維持電極２７とデータ電極３２および隔壁３４との位置関係がわかるように示した概略構成を示す平面図である。
【００３１】
図３に示すように、第一維持電極２５、走査電極２６および第二維持電極２７からなる表示電極２８が行方向に伸長して、複数並んで配置されており、１つの表示電極２８を構成する走査電極２６と第一維持電極２５および第二維持電極２７との間にはそれぞれ放電ギャップ３７が設けられている。また、データ電極３２と隔壁３４は列方向に伸長して配置されており、表示電極２８とデータ電極３２との交差部には一点鎖線で領域を示す放電セル３６が形成され、データ電極３２に沿って隣接する放電セル３６間では第一維持電極２５と第二維持電極２７とがセル間ギャップ３８を隔てて隣り合って配置されている。
【００３２】
そして、表面板２２と背面板２３との間に複数の放電セル３６を形成するように対向配置し、表面板２２と背面板２３の周縁部を封着ガラスで気密封止し、放電空間２１にはＮｅとＸｅ等の混合ガスからなる放電ガスを所定の圧力および混合比で充填することでＰＤＰが完成する。
【００３３】
つまり、本実施の形態によるＰＤＰは、表面板２２と背面板２３との間に複数の放電セル３６を形成することにより構成され、一方の基板である表面板２２上には、第一維持電極２５、走査電極２６および第二維持電極２７で構成される表示電極２８を放電セル３６毎に１組配置されるように形成した構成となっている。
【００３４】
次に、ＰＤＰの表示動作について図４に示す駆動電圧波形を用いて説明する。これは、図１４に示した従来の駆動電圧波形に対して異なる部分である、表示期間における駆動波形のみを示すものである。すなわち、表示期間以外の、初期化期間とアドレス期間においては、本実施の形態においては、第一維持電極２５および第二維持電極２７には図１４に示した、維持電極５に対するものと同じ駆動電圧が、また、走査電極２６には図１４に示した、走査電極４に対するものと同じ駆動電圧が、基本的には印加される。但し、従来とは電極構造が大きく異なるので、電圧波形の詳細に至るまでが全てが同じというわけではない。
【００３５】
図４中の細実線と太破線は、それぞれ走査電極２６を基準電位にしたときの第一維持電極２５、第二維持電極２７にそれぞれ印加される放電維持パルスの電圧波形を表す。それらの特徴は、位相が同じで高電位側の電圧値が異なるというものである。つまり、第一維持電極２５に印加される維持パルス電圧の高電位側の電圧値ＶＨｉは、第二維持電極２７に印加される維持パルス電圧の高電位側の電圧値ＶＬｏと異なり、ＶＨｉに比べＶＬｏを低くしていることにある。
【００３６】
ここで図４では、維持パルス電圧の高電位側の電圧値が正で、低電位側の電圧値が負である例を示したが、低電位側の電圧値が０であっても構わない。また維持パルス電圧の低電位側の電圧値が、第一維持電極２５、第二維持電極２７とも同じ電圧値である例を示しているが、低電位側の電圧値も高電位側の電圧値と同様、異なるものでも良い。また、低電位側の電圧値の絶対値は、高電位側の電圧値ＶＨｉと同一である例を示したが、低電位側の電圧値の絶対値としてＶＨｉより大きな値を設定しても構わない。また、維持パルス電圧の印加のタイミングの位相が１８０度ずれて電圧の正負が逆転しても、また、図５に示すように、図４に対して、第一維持電極２５と第二維持電極２７とに印加する維持パルス電圧の大小が入れ替わったものでも構わない。
【００３７】
図６に本実施の形態にかかるＰＤＰを駆動するための駆動電圧の波形を示す。これは、表示期間の駆動電圧波形については、走査電極２６の電圧波形は図１４に示す従来例と同様の電圧波形とし、維持電極である第一維持電極２５および第二維持電極２７には、図４または図５を用いて説明した上述の条件を満たす駆動電圧を印加するものである。
【００３８】
以上の構成における駆動の状態は次のとおりと考えられる。まず、第二維持電極２７よりも高い維持パルス電圧が印加される第一維持電極２５と走査電極２６との間で第１の維持放電が発生する。この第１の維持放電によって発生した荷電粒子や励起状態の粒子等がプライミングとなるため、その結果、第一維持電極２５より低い維持パルス電圧しか印加されていない第二維持電極２７と走査電極２６との間でも第２の維持放電が始まる。
【００３９】
ここで、本実施の形態にかかるＰＤＰと従来のＰＤＰとの評価の比較を、実際にＰＤＰを作製することで行った。本実施の形態にかかるＰＤＰの駆動電圧の波形は図６に示したものとし、従来のＰＤＰの駆動電圧の波形は図１４に示したものとした。そして、ＰＤＰの中央部の領域のみを白表示し（背景は黒表示）、発光輝度を同一に保ちながら、消費電力を調べた。
【００４０】
その結果、従来のＰＤＰの消費電力は、本実施の形態にかかるＰＤＰに比べ約１．４倍となることが判った。また、放電電流の測定結果を図７（ａ）に模式的に示す。太線は本発明でのＰＤＰ、細線は従来例でのＰＤＰの結果である。本実施の形態にかかるＰＤＰの放電電流は、従来例のＰＤＰの放電電流に比べ、ピークが低く、且つ、ピークが広がり、放電電流が流れている時間が長くなっていることがわかる。放電電流のピーク広がりは、それぞれ第１の維持放電により第２の維持放電が発生することを意味している。設計条件によっては図７（ｂ）に模式的に示すように、放電電流のピークが二山になることもあり得る。
【００４１】
以上の評価結果において、本実施の形態にかかるＰＤＰの消費電力が低下し、発光効率が向上した理由としては以下のように考えられる。すなわち、ＰＤＰは励起レベルと基底レベル間の遷移による発光を利用している。この発光に対しては、放電電流に対して発光輝度の飽和が発生する領域が存在するため、発光効率の観点から低い電流レベルでパネルを駆動する方が望ましい。ここで、本実施の形態にかかるＰＤＰは、低放電電流で駆動することができ、且つ低放電電流に伴う発光輝度の低下を放電時間の増加で補うことができるため、発光効率が向上したものと考えられる。
【００４２】
ここで、図４および図５に示すＶＬｏおよびＶＨｉは、本発明者が行った検討により、ＶＬｏ≧０．７５ＶＨｉであることが、輝度を保ちつつ効率を向上できるという面で好ましい。また、各サブフィールドの表示期間において、維持パルス電圧の最初の数周期分のみ第二維持電極２７の電圧を第一維持電極２５の電圧と同じ値に引き上げれば、誤放電のない安定した、すなわち設計マージンの広い維持放電を実現できることも判っている。
【００４３】
また図８に、別の駆動電圧波形の例を示す。これは、維持パルス電圧の高電位側の電圧値が正で、低電位側の電圧値が負であるという例である。維持パルス電圧をこのような波形とすることにより、走査電極２６と第一維持電極２５および第二維持電極２７との相対電圧差を保ちながら、それぞれに印加する電圧値を小さくすることができ、効率の向上を更に図ることができる。
【００４４】
ここで、表示期間において放電が維持される条件を考えると、第一維持電極２５と走査電極２６の間に比べて、走査電極２６と第二維持電極２７間では壁電荷量は、電極間電圧にほぼ比例して少なくなる。従って、安定な維持放電を保つためには、半周期後の維持パルス電圧は両電極間の電圧を等しくし、放電後はほぼ等量の壁電荷を蓄積する必要がある。壁電荷量の違いによって電極間電圧が同じでも、１つの放電維持パルスで２回の放電が生じる。
【００４５】
さて、本実施の形態にかかるＰＤＰの電極構成では、第一維持電極２５と走査電極２６間では強い発光（第一の放電）が、走査電極２６と第二維持電極２７間では弱い発光（第二の放電）が常に生じる。従って、蛍光体層３５の劣化速度がアンバランスになり、パネルの寿命は第一維持電極２５と走査電極２６との間付近の蛍光体層３５の劣化に律速され、結果的に寿命は短くなる。そこで、図９および図１０に示すように、維持パルス電圧の周期に同期させて第一維持電極２５と第二維持電極２７とに印加される維持パルス電圧を入れ替えると、強い放電、弱い放電の位置が切り替わるため、ＰＤＰの寿命が改善される。図９に示す駆動電圧の波形は図６に示す駆動電圧の波形を、図１０に示す駆動電圧の波形は図８に示す駆動電圧の波形をそれぞれ改善したものである。なお、これらの放電維持パルスの入れ替え周期は上記に限定されることはなく、周期的に入れ替えれば同様の効果が得られる。また、周期も特に一定である必要はない。
【００４６】
また、図３に示す電極構成では、表示期間において第一維持電極２５と第二維持電極２７間に異なる電圧を印加することによって、セル間ギャップ３８で浮遊容量が存在し、その充放電に伴う電力損（無効電力）が消費電力を上げてしまうという課題が発生する場合がある。そのような場合には、図１１に示すように、複数の表示電極２８を、隣り合う放電セル３６間で、第一維持電極２５どうし、または第二維持電極２７どうしが隣接するように配置することで解決することができる。
【産業上の利用可能性】
【００４７】
以上のように本発明は、高精細であっても発光効率の改善により、高輝度、低消費電力の、そして低消費電力という意味では環境負荷が少ないプラズマディスプレイパネルの駆動方法を提供することができる。
【図面の簡単な説明】
【００４８】
【図１】本発明の一実施の形態によるプラズマディスプレイパネルの要部の概略構成を示す断面斜視図
【図２】図１におけるＡ−Ａ矢視断面図
【図３】本発明の一実施の形態によるプラズマディスプレイパネルにおける電極の配置を説明するための部分平面図
【図４】本発明の一実施の形態によるプラズマディスプレイパネルの駆動電圧波形を示す図
【図５】同じく、本発明の一実施の形態によるプラズマディスプレイパネルの駆動電圧波形を示す図
【図６】同じく、本発明の一実施の形態によるプラズマディスプレイパネルの駆動電圧波形を示す図
【図７】プラズマディスプレイパネルにおける放電電流の状態を模式的に示す図
【図８】同じく、本発明の一実施の形態によるプラズマディスプレイパネルの駆動電圧波形を示す図
【図９】同じく、本発明の一実施の形態によるプラズマディスプレイパネルの駆動電圧波形を示す図
【図１０】同じく、本発明の一実施の形態によるプラズマディスプレイパネルの駆動電圧波形を示す図
【図１１】本発明の一実施の形態によるプラズマディスプレイパネルにおける電極の配置を説明するための概略平面図
【図１２】従来のプラズマディスプレイパネルの概略構成を示す一部分の断面斜視図
【図１３】従来のプラズマディスプレイパネルの電極の配置を示すための概略平面図
【図１４】従来のプラズマディスプレイパネルの駆動電圧の波形を示す図
【符号の説明】
【００４９】
２１  放電空間
２２  表面板
２３  背面板
２５  第一維持電極
２６  走査電極
２７  第二維持電極
２８  表示電極
３２  データ電極
３４  隔壁
３６  放電セル
【図１】
2005121953.tif 000003
【図２】
2005121953.tif 000004
【図３】
2005121953.tif 000005
【図４】
2005121953.tif 000006
【図５】
2005121953.tif 000007
【図６】
2005121953.tif 000008
【図７】
2005121953.tif 000009
【図８】
2005121953.tif 000010
【図９】
2005121953.tif 000011
【図１０】
2005121953.tif 000012
【図１１】
2005121953.tif 000013
【図１２】
2005121953.tif 000014
【図１３】
2005121953.tif 000015
【図１４】
2005121953.tif 000016